(57)【要約】【課題】残置排水管に排水流路を容易に構成することができると共に、新設排水立て管と残置排水管とを簡単に接続することができる排水管継手等を提供する。【解決手段】床スラブＳに残置した残置排水管ＯＰａに代えて排水流路を構成すると共に、新設排水立て管ＮＰが接続される排水管継手１０であって、残置排水管ＯＰａに挿入される挿入パイプ部１１と、新設排水立て管ＮＰが接合されるパイプ接合部１２と、新設排水立て管ＮＰとの間に介設されるシール部材１５と、を備え、パイプ接合部１１は、挿入パイプ部１１と一体化された固定接合半部２５と、ヒンジ部２７を介して固定接合半部２５に回動自在に支持された可動接合半部２６と、可動接合半部２６を固定接合半部２５に締結する締結部材２８と、を有している。【選択図】  図１
2020012518.tif 000002
【特許請求の範囲】
【請求項１】
既設排水立て管を床スラブの上方所定の位置で切断して床スラブに残置した残置排水管に代えて、前記残置排水管内に排水流路を構成すると共に、前記残置排水管の上側に連なる新設排水立て管が接続される排水管継手であって、
前記残置排水管に上側から挿入され、前記排水流路を構成する挿入パイプ部と、
前記挿入パイプ部の上側に連なり、前記新設排水立て管が接合されるパイプ接合部と、
前記パイプ接合部内において、前記新設排水立て管との間に介設されるシール部材と、を備え、
前記パイプ接合部は、
軸方向に沿って半割され、前記挿入パイプ部と一体化された一方の固定接合半部、および前記固定接合半部に装着される他方の可動接合半部と、
前記可動接合半部を前記固定接合半部に締結する締結部材と、を有していることを特徴とする排水管継手。
【請求項２】
前記可動接合半部は、一方の突合せ端部において、ヒンジ部を介して前記固定接合半部に回動自在に支持され、
前記締結部材は、他方の突合せ端部において、前記可動接合半部を前記固定接合半部に締結することを特徴とする請求項１に記載の排水管継手。
【請求項３】
前記挿入パイプ部の上端部は、ロート状に形成され、前記固定接合半部に溶着されていることを特徴とする請求項１または２に記載の排水管継手。
【請求項４】
前記パイプ接合部は、
前記新設排水立て管が接合される前記溶着部分から上側の接合部本体と、
前記接合部本体から下方に延設され、前記残置排水管の上端部が相対的に挿入される前記溶着部分から下側の呑込み部と、を有していることを特徴とする請求項３に記載の排水管継手。
【請求項５】
前記シール部材は、下端部で前記挿入パイプ部の上端部に密接すると共に、前記接合部本体の内周面と前記新設排水立て管の外周面との間に介設された筒状シールを有していることを特徴とする請求項４に記載の排水管継手。
【請求項６】
前記残置排水管には、前記床スラブの上側近傍において排水枝管が接続されており、
前記挿入パイプ部は、前記呑込み部に前記残置排水管を相対的に挿入した状態で、前記排水枝管の接続位置に対応する位置に開口部を有していることを特徴とする請求項４または５に記載の排水管継手。
【請求項７】
前記残置排水管に挿入された前記挿入パイプ部の下端が、前記床スラブの厚みに対応する範囲内に位置する請求項１ないし６のいずれかに記載の排水管継手に対応して、下端を前記床スラブの下面近傍で切断された前記残置排水管に下側から臨む管受けジョイントであって、
下側から前記残置排水管に挿入され、上端が前記挿入パイプ部の下端に対峙するジョイント管と、
前記ジョイント管が貫通した状態で支持されると共に、前記残置排水管の下端面に対峙する底板リングと、
前記底板リングを支持すると共に、前記残置排水管のスラブ下露出部分を覆う筒状カバーと、
前記筒状カバーを支持すると共に、前記残置排水管が貫通した状態で前記床スラブの下面に固定される固定プレートと、を備えたことを特徴とする管受けジョイント。
【請求項８】
前記ジョイント管、前記底板リング、前記筒状カバーおよび前記固定プレートは、いずれもステンレススチールで構成され、相互に溶着されて一体化されていることを特徴とする請求項７に記載の管受けジョイント。
【請求項９】
前記挿入パイプ部を前記残置排水管に挿入した請求項１ないし５のいずれかに記載の排水管継手と、
前記残置排水管と前記挿入パイプ部との間に介設された絶縁性の接着剤と、を備えたことを特徴とする排水ジョイント構造。
【請求項１０】
前記挿入パイプ部を前記残置排水管に挿入した請求項６に記載の排水管継手と、
前記残置排水管と前記挿入パイプ部との間に介設された絶縁性の接着剤と、
前記開口部を閉塞するように前記挿入パイプ部の内周面に離脱可能にセットされ、前記開口部に面する前記接着剤を取り除くための接着剤除去部材と、を備えた特徴とする排水ジョイント構造。
【請求項１１】
前記残置排水管は、下端を前記床スラブの下面近傍で切断され、
前記残置排水管に挿入された前記挿入パイプ部の下端は、前記床スラブの厚みに対応する範囲内に位置しており、
請求項７または８に記載の管受けジョイントと、
前記残置排水管と前記ジョイント管との間、前記残置排水管と前記底板リングとの間および前記残置排水管と前記筒状カバーとの間、にそれぞれ介設された絶縁性の接着剤と、を更に備えたことを特徴とする請求項９または１０に記載の排水ジョイント構造。
【請求項１２】
前記残置排水管が貫通した状態で、前記固定プレートと前記床スラブの下面との間に介設された高弾性の弾性シートを、更に備えたことを特徴とする請求項１１に記載の排水ジョイント構造。
【請求項１３】
前記残置排水管が貫通した状態で、前記弾性シートと前記床スラブの下面との間に介設されたベースプレートを、更に備え、
前記固定プレートは、前記ベースプレートを介して前記床スラブの下面に固定されていることを特徴とする請求項１２に記載の排水ジョイント構造。
【請求項１４】
請求項１ないし５のいずれかに記載の排水管継手を用いて、前記既設排水立て管を改修する排水立て管の改修方法であって、
前記既設排水立て管を床スラブの上方所定の位置および上階の床スラブの下面近傍で切断して撤去し、前記残置排水管を前記床スラブに残置する管切断・撤去工程と、
挿入される前記挿入パイプ部に対応させて、前記残置排水管の内周面に絶縁性の接着剤を塗布するプレセット工程と、
前記プレセット工程における前記接着剤が硬化する前に、前記挿入パイプ部を、その外周面に絶縁性の接着剤を塗布しながら前記残置排水管に挿入して、前記排水管継手を前記残置排水管にセットするポストセット工程と、
前記新設排水立て管を、前記排水管継手のパイプ接合部に接合する立て管接続工程と、を備えたことを特徴とする排水立て管の改修方法。
【請求項１５】
請求項６に記載の排水管継手を用いて、前記既設排水立て管を改修する排水立て管の改修方法であって、
前記既設排水立て管を床スラブの上方所定の位置および上階の床スラブの下面近傍で切断して撤去し、前記残置排水管を前記床スラブに残置する管切断・撤去工程と、
挿入される前記挿入パイプ部に対応させて、前記残置排水管の内周面に絶縁性の接着剤を塗布するプレセット工程と、
前記プレセット工程における前記接着剤が硬化する前に、前記挿入パイプ部を、その外周面に絶縁性の接着剤を塗布しながら前記残置排水管に挿入して、前記排水管継手を前記残置排水管にセットするポストセット工程と、
前記プレセット工程および前記ポストセット工程における前記接着剤が硬化する前に、前記排水管継手の前記開口部を内側から閉塞するようにセットされた接着剤除去部材を取り去る開口部連通工程と、
前記新設排水立て管を、前記排水管継手のパイプ接合部に接合する立て管接続工程と、を備えたことを特徴とする排水立て管の改修方法。
【請求項１６】
前記残置排水管に挿入された前記挿入パイプ部の下端は、前記床スラブの厚みに対応する範囲内に位置しており、
請求項７または８に記載の管受けジョイントを、更に用い、
前記残置排水管を、前記床スラブの下面近傍で切断する管切断工程と、
前記床スラブの下面に、前記固定プレートよりも大型のベースプレートを前記残置排水管が貫通した状態で固定するベース固定工程と、
挿入される前記ジョイント管に対応させて、前記残置排水管の内周面に絶縁性の接着剤を塗布する第１塗布工程と、
前記底板リングから上の前記ジョイント管の外周面、前記底板リングの上面、前記筒状カバーの内周面および前記固定プレートの上面、にそれぞれ絶縁性の接着剤を塗布する第２塗布工程と、
前記第１塗布工程および前記第２塗布工程における前記接着剤が硬化する前に、前記ジョイント管を前記残置排水管に挿入すると同時に、前記固定プレートを前記ベースプレートにネジ止めする管受け取付け工程と、を更に備えたことを特徴とする請求項１４または１５に記載の排水立て管の改修方法。
【発明の詳細な説明】
【技術分野】
【０００１】
本発明は、既設排水立て管を床スラブの上側で切断して床スラブに残置した残置排水管に代えて、残置排水管内に排水流路を構成すると共に、残置排水管の上側に連なる新設立て排水管が接続される排水管継手、管受けジョイントおよびこれらを備えた排水ジョイント構造、並びに排水立て管の改修方法に関するものである。
【背景技術】
【０００２】
従来、既設配管のスラブ貫通部分を残して、新設配管に切り替えるスラブ貫通配管の取り換え工法が知られている（特許文献１参照）。
この取り換え工法は、スラブを貫通する排水立て管や給水立て管等の既設配管の途中を、スラブ貫通部分を所定の長さスラブに残した状態で切断除去する工程と、スラブに残した既設配管の内部に合成樹脂製のチューブを挿入し、チューブをエアーで膨らませてその外周面を既設配管の内周面に接着させる工程と、接着部分の固化後に既設配管からはみ出したチューブの余剰部分を切断除去する工程と、既設配管の切断除去した部分に新たな配管を位置させ、既設配管と新たな配管とをフランジ継手で接続する工程と、を備えている。
スラブに残す既設配管は、スラブの厚みの３倍となる長さとし、スラブの上下に新たな配管の接続に必要な長さを確保するようにしている。また、チューブをエアーで膨らませて接着させる工程では、予め外面に接着剤を塗布したチューブを既設配管に挿入し膨らませて、その外周面を既設配管の内周面に接着させるようにしている。
【先行技術文献】
【特許文献】
【０００３】
【特許文献１】特開２００６−２６６３７４号公報
【発明の概要】
【発明が解決しようとする課題】
【０００４】
このような、従来のスラブ貫通配管の取り換え工法では、チューブを膨らませて既設配管の内周面に接着させ、且つ接着剤が硬化するまでチューブを膨らませた状態を維持する必要がある。このため、設備が大がかりになると共に作業時間が長くなる問題があった。加えて、チューブを膨らませたときに、接着剤に混入するようにして気泡（エアー溜り）が残り、チューブの内周面に凸部が生ずる問題がある。特に、この取り換え工法を排水管に適用した場合には、チューブの凸部分が排水詰まりの原因になるだけでなく、やがてこれが削り取られて既設配管がむき出しになってしまうおそれがある。
一方、新たな配管（新設配管）とスラブに残した上下の既設配管とは継手を用いて接続するが、上下の既設配管がスラブに固定されているため、差込み接合の形態をとる継手を用いることができない。この点、従来の取り換え工法に用いるフランジ継手では、一方のフランジを取り付けた新設配管を側方からスライドさせて接合するようにしている。しかし、他方のフランジは、溶接等により既設配管に取り付けておく必要があり、新設配管の接続作業が極めて煩雑になる問題があった。
【０００５】
本発明は、床スラブに残置した残置排水管に、新たな排水流路を容易に構成することができると共に、新設排水立て管を簡単に接続することができる排水管継手管、管受けジョイントおよびこれらを備えた排水ジョイント構造、並びに排水立て管の改修方法を提供することを課題としている。
【課題を解決するための手段】
【０００６】
本発明の排水管継手は、既設排水立て管を床スラブの上方所定の位置で切断して床スラブに残置した残置排水管に代えて、残置排水管内に排水流路を構成すると共に、残置排水管の上側に連なる新設排水立て管が接続される排水管継手であって、残置排水管に上側から挿入され、排水流路を構成する挿入パイプ部と、挿入パイプ部の上側に連なり、新設排水立て管が接合されるパイプ接合部と、パイプ接合部内において、新設排水立て管との間に介設されるシール部材と、を備え、パイプ接合部は、軸方向に沿って半割され、挿入パイプ部と一体化された一方の固定接合半部、および固定接合半部に装着される他方の可動接合半部と、可動接合半部を固定接合半部に締結する締結部材と、を有していることを特徴とする。
【０００７】
この構成によれば、挿入パイプ部を残置排水管に挿入することで、残置排水管内に新たな排水流路を構成することができる。また、パイプ接合部において、固定接合半部に対し可動接合半部を非装着とした状態で、新設排水立て管を側方からスライドさせることで、新設排水立て管をパイプ接合部にセットすることができる。また、この状態で、可動接合半部を固定接合半部に締結することで、シール部材を介して、パイプ接合部に新設排水立て管を適切に接合することができる。すなわち、残置排水管に、新たな排水流路を容易に構成することができると共に、新設排水立て管を簡単に接続することができる。また、パイプ接合部から下側には作業スペースを必要としないため、残置排水管における床スラブの上面から切断位置を極力短くすることができる。
【０００８】
この場合、可動接合半部は、一方の突合せ端部において、ヒンジ部を介して固定接合半部に回動自在に支持され、締結部材は、他方の突合せ端部において、可動接合半部を固定接合半部に締結することが好ましい。
【０００９】
この構成によれば、一体化した挿入パイプ部および固定接合半部に対し、可動接合半部がヒンジ部を介して回動自在に支持されているため、パイプ接合部に対する新設排水立て管の接合作業を簡単に行うことができる。また、運搬や現場搬入等において、可動接合半部を紛失してしまうのを防止することができる。
【００１０】
これらの場合、挿入パイプ部の上端部は、ロート状に形成され、固定接合半部に溶着されていることが好ましい。
【００１１】
この構成によれば、挿入パイプ部の内径と新設排水立て管の内径とをほぼ同径とし、且つ新設排水立て管の接合代を確保した状態で、挿入パイプ部と固定接合半部とを一体化することができる。
【００１２】
この場合、パイプ接合部は、新設排水立て管が接合される溶着部分から上側の接合部本体と、接合部本体から下方に延設され、残置排水管の上端部が相対的に挿入される溶着部分から下側の呑込み部と、を有していることが好ましい。
【００１３】
この構成によれば、新設排水立て管を適切に接合できるだけでなく、床スラブに固定された残置排水管に対し、呑込み部を介して、排水管継手自体を安定にセットすることができる。
【００１４】
この場合、シール部材は、下端部で挿入パイプ部の上端部に密接すると共に、接合部本体の内周面と新設排水立て管の外周面との間に介設された筒状シールを有していることが好ましい。
【００１５】
この構成によれば、筒状シールにより、新設排水立て管と挿入パイプ部との間を適切にシールすることができると共に、新設排水立て管をパイプ接合部にがたつきなく接合することができる。
【００１６】
これらの場合、残置排水管には、床スラブの上側近傍において排水枝管が接続されており、挿入パイプ部は、呑込み部に残置排水管を相対的に挿入した状態で、排水枝管の接続位置に対応する位置に開口部を有していることが好ましい。
【００１７】
この構成によれば、排水管継手を残置排水管にセットした状態で、挿入パイプ部の開口部と、排水枝管側の合流口（継手の合流口および残置排水管の合流開口）が合致する。このため、排水枝管を残置排水管に接続するための継手を交換することなく、挿入パイプ部と排水枝管とを連通させることができる。
【００１８】
本発明の管受けジョイントは、残置排水管に挿入された挿入パイプ部の下端が、床スラブの厚みに対応する範囲内に位置する上記の排水管継手に対応して、下端を床スラブの下面近傍で切断された残置排水管に下側から臨む管受けジョイントであって、下側から残置排水管に挿入され、上端が挿入パイプ部の下端に対峙するジョイント管と、ジョイント管が貫通した状態で支持されると共に、残置排水管の下端面に対峙する底板リングと、底板リングを支持すると共に、残置排水管のスラブ下露出部分を覆う筒状カバーと、筒状カバーを支持すると共に、残置排水管が貫通した状態で床スラブの下面に固定される固定プレートと、を備えたことを特徴とする。
【００１９】
この構成によれば、ジョイント管を残置排水管に挿入した状態で、固定プレートを床スラブに固定すると、排水管継手の挿入パイプ部の下端とジョイント管の上端とが対峙し、挿入パイプ部とジョイント管とが連通することとなる。また、この状態で、残置排水管の下端面に底板リングが対峙するため、残置排水管は、腐食等により残置排水管が床スラブに強固に固定されていないことがあっても、残置排水管のがたつきや床スラブに対する位置ズレを防止することができる。
【００２０】
この場合、ジョイント管、底板リング、筒状カバーおよび固定プレートは、いずれもステンレススチールで構成され、相互に溶着されて一体化されていることが好ましい。
【００２１】
この構成によれば、材質的に防錆を考慮した管受けジョイントを、工場において精度良く且つ簡単に製造することができる。なお、ジョイント管は、長めに形成しておいて、現場合わせで切断（切詰め）することが好ましい。
【００２２】
本発明の排水ジョイント構造は、挿入パイプ部を残置排水管に挿入した上記の排水管継手と、残置排水管と挿入パイプ部との間に介設された絶縁性の接着剤と、を備えたことを特徴とする。
【００２３】
この構成によれば、接着剤により、排水管継手を残置排水管に強固に固定することができる。また、挿入パイプ部と残置排水管とが異種金属であっても、絶縁性の接着剤により、金属間の接触腐蝕を防止することができる。
【００２４】
本発明の他の排水ジョイント構造は、挿入パイプ部を残置排水管に挿入した上記の排水管継手と、残置排水管と挿入パイプ部との間に介設された絶縁性の接着剤と、開口部を閉塞するように挿入パイプ部の内周面に離脱可能にセットされ、開口部に面する接着剤を取り除くための接着剤除去部材と、を備えたことを特徴とする。
【００２５】
この構成によれば、接着剤により、排水管継手を残置排水管に強固に固定することができる。また、挿入パイプ部と残置排水管とが異種金属であっても、絶縁性の接着剤により、金属間の接触腐蝕を防止することができる。さらに、接着剤除去部材により、開口部に面する接着剤を取り除くことにより、排水枝管を残置排水管に接続するための継手を交換することなく、挿入パイプ部と排水枝管との合流流路を容易に形成することができる。
【００２６】
また、残置排水管は、下端を床スラブの下面近傍で切断され、残置排水管に挿入された挿入パイプ部の下端は、床スラブの厚みに対応する範囲内に位置しており、上記した管受けジョイントと、残置排水管とジョイント管との間、残置排水管と底板リングとの間および残置排水管と筒状カバーとの間、にそれぞれ介設された絶縁性の接着剤と、を更に備えることが好ましい。
【００２７】
この構成によれば、管受けジョイントにより、残置排水管を下側から床スラブに支持することができる。すなわち、残置排水管が、床スラブの貫通部分に対し不安定な固定状態となっている場合に、これを改めて床スラブに強固に支持することができ、新設排水立て管や排水管継手の荷重を適切に受けることができる。しかも、ジョイント管と残置排水管とが異種金属であっても、絶縁性の接着剤により、金属間の接触腐蝕を防止することができる。
【００２８】
この場合、残置排水管が貫通した状態で、固定プレートと床スラブの下面との間に介設された高弾性の弾性シートを、更に備えることが好ましい。
【００２９】
この構成によれば、弾性シートを介して、固定プレートを床スラブに固定することで、管受けジョイントと床スラブとの間を、防振性を持たせた状態でシールすることができる。また、弾性シートが高弾性であるため、固定プレートを水平調整した状態で床スラブに固定することができ、ひいてはジョイント管を鉛直姿勢になるように取付け調整することができる。
【００３０】
この場合、残置排水管が貫通した状態で、弾性シートと床スラブの下面との間に介設されたベースプレートを、更に備え、固定プレートは、ベースプレートを介して床スラブの下面に固定されていることが好ましい。
【００３１】
この構成によれば、あと施工アンカー等により床スラブに固定したベースプレートに対し、弾性シートを挟み込んだ固定プレートを、ビス止め等で簡単に取り付けることができる。また、床スラブの下面に不陸が生じていても、ベースプレートおよび弾性シートによりこれを吸収することができる。
【００３２】
本発明の排水立て管の改修方法は、上記した排水管継手を用いて、既設排水立て管を改修する排水立て管の改修方法であって、既設排水立て管を床スラブの上方所定の位置および上階の床スラブの下面近傍で切断して撤去し、残置排水管を床スラブに残置する管切断・撤去工程と、挿入される挿入パイプ部に対応させて、残置排水管の内周面に絶縁性の接着剤を塗布するプレセット工程と、プレセット工程における接着剤が硬化する前に、挿入パイプ部を、その外周面に絶縁性の接着剤を塗布しながら残置排水管に挿入して、排水管継手を残置排水管にセットするポストセット工程と、新設排水立て管を、排水管継手のパイプ接合部に接合する立て管接続工程と、を備えたことを特徴とする。
【００３３】
この構成によれば、残置排水管に塗布した接着剤と、挿入パイプ部に塗布した接着剤とを馴染ませながら排水管継手を残置排水管にセットすることができる。これにより、残置排水管内に新たな排水流路を構成することができると共に、排水管継手を残置排水管に強固に固定することができる。また、挿入パイプ部と残置排水管とが異種金属であっても、絶縁性の接着剤により、金属間の接触腐蝕を防止することができる。さらに、シール部材を介して、パイプ接合部に新設排水立て管を適切に接合することができる。すなわち、残置排水管に、新たな排水流路を容易に構成することができると共に、新設排水立て管を簡単に接続することができる。
【００３４】
本発明の他の排水立て管の改修方法は、上記した排水管継手を用いて、既設排水立て管を改修する排水立て管の改修方法であって、既設排水立て管を床スラブの上方所定の位置および上階の床スラブの下面近傍で切断して撤去し、残置排水管を床スラブに残置する管切断・撤去工程と、挿入される挿入パイプ部に対応させて、残置排水管の内周面に絶縁性の接着剤を塗布するプレセット工程と、プレセット工程における接着剤が硬化する前に、挿入パイプ部を、その外周面に絶縁性の接着剤を塗布しながら残置排水管に挿入して、排水管継手を残置排水管にセットするポストセット工程と、プレセット工程およびポストセット工程における接着剤が硬化する前に、排水管継手の開口部を内側から閉塞するようにセットされた接着剤除去部材を取り去る開口部連通工程と、新設排水立て管を、排水管継手のパイプ接合部に接合する立て管接続工程と、を備えたことを特徴とする。
【００３５】
この構成によれば、残置排水管に塗布した接着剤と、挿入パイプ部に塗布した接着剤とを馴染ませながら排水管継手を残置排水管にセットすることができる。これにより、残置排水管内に新たな排水流路を構成することができると共に、排水管継手を残置排水管に強固に固定することができる。また、挿入パイプ部と残置排水管とが異種金属であっても、絶縁性の接着剤により、金属間の接触腐蝕を防止することができる。さらに、シール部材を介して、パイプ接合部に新設排水立て管を適切に接合することができる。すなわち、残置排水管に、新たな排水流路を容易に構成することができると共に、新設排水立て管を簡単に接続することができる。しかも、排水枝管を残置排水管に接続するための継手を交換することなく、挿入パイプ部と排水枝管との合流流路を容易に形成することができる。
【００３６】
また、残置排水管に挿入された挿入パイプ部の下端は、床スラブの厚みに対応する範囲内に位置しており、上記した管受けジョイントを、更に用い、残置排水管を、床スラブの下面近傍で切断する管切断工程と、床スラブの下面に、固定プレートよりも大型のベースプレートを残置排水管が貫通した状態で固定するベース固定工程と、挿入されるジョイント管に対応させて、残置排水管の内周面に絶縁性の接着剤を塗布する第１塗布工程と、底板リングから上のジョイント管の外周面、底板リングの上面、筒状カバーの内周面および固定プレートの上面、にそれぞれ絶縁性の接着剤を塗布する第２塗布工程と、第１塗布工程および第２塗布工程における接着剤が硬化する前に、ジョイント管を残置排水管に挿入すると同時に、固定プレートをベースプレートにネジ止めする管受け取付け工程と、を更に備ることが好ましい。
【００３７】
この構成によれば、ジョイント管を残置排水管に挿入した状態では、ジョイント管と挿入パイプ部とが対峙し、残置排水管内に新たな排水流路を構成することができる。また、管受けジョイントと残置排水管とを一体化することができ、残置排水管のがたつき等を防止することができる。さらに、管受けジョイントと残置排水管とが異種金属であっても、絶縁性の接着剤により、金属間の接触腐蝕を防止することができる。
【図面の簡単な説明】
【００３８】
【図１】本発明の第１実施形態に係る排水ジョイント構造を表した断面図である。
【図２】排水管継手においての可動接合部が閉じた状態の斜視図（ａ）、および可動接合部が開いた状態の斜視図（ｂ）である。
【図３】排水管継手の図２（ａ）におけるＡ−Ａ線断面図（ａ）、およびＢ−Ｂ線断面図（ｂ）である。
【図４】第１実施形態に係る排水立て管の改修方法の手順（ａ）、手順（ｂ）、手順（ｃ）を表した図である。
【図５】第１実施形態に係る排水立て管の改修方法の手順（ｄ）、手順（ｅ）、手順（ｆ）を表した図である。
【図６】第２実施形態に係る排水ジョイント構造を表した断面図である。
【図７】管受けジョイントの断面図（ａ）、および平面図（ｂ）である。
【図８】第２実施形態に係る排水立て管の改修方法の手順（ａ）、手順（ｂ）、手順（ｃ）を表した図である。
【図９】第２実施形態に係る排水立て管の改修方法の手順（ｄ）、手順（ｅ）、手順（ｆ）を表した図である。
【発明を実施するための形態】
【００３９】
以下、添付の図面を参照しながら、本発明の一実施形態に係る排水管継手、管受けジョイントおよびこれらを備えた排水ジョイント構造、並びに排水立て管の改修方法について説明する。この排水立て管の改修方法は、古いタイプの既設共同住宅における既設の排水立て管（雑排水管）を、床スラブを斫ることなく改修するものである。この場合の排水立て管は、各住戸における玄関先のホールの隅等に露出で配管されており、排水立て管のスラブ貫通部分を床スラブに残すことで、床スラブは元よりホールの床を剥がすことなく工事を行い得るようにしている。また、この改修方法は、居住者の意向を考慮し、複数階に亘って延びる排水立て管に対し、各階毎の改修を可能としている。
【００４０】
一方、排水管継手および管受けジョイントは、この改修方法に用いる専用の部材として開発されたものである。また、排水ジョイント構造は、この排水管継手および管受けジョイントと床スラブに残した既設排水立て管（残置排水管）とを整合させる継手廻りの構造である。
以下、第１実施形態および第２実施形態の順で説明を進めるが、第１実施形態は排水管継手のみを用いたもの、第２実施形態は、排水管継手および管受けジョイントを用いたものである。
【００４１】
［第１実施形態］
図１は、排水ジョイント構造を表した断面図である。既設排水立て管ＯＰは、床Ｆおよび床スラブＳを貫通し且つ床Ｆ上において露出で配管されているが、図示のものは、既設排水立て管ＯＰの露出部分を新設排水立て管ＮＰに付け替えた、改修後の状態を表している。
【００４２】
同図に示すように、既設排水立て管ＯＰには、床Ｆと床スラブＳとの間隙に洗濯機排水用の排水枝管ＢＰが接続されている。すなわち、当該階の既設排水立て管ＯＰには、床スラブＳの上側であって且つ床の下側に、いわゆるコロガシ配管で当該階の洗濯機用の排水枝管ＢＰが、分岐継手ＢＪを介して接続されている。なお、上階の床スラブＳの下面Ｓａが当該階の天井面（直天）となっている。
【００４３】
既設排水立て管ＯＰの露出部分は、上側が上階の床スラブＳの下面Ｓａ近傍で切断され、下側が床スラブＳの上側、厳密には床Ｆの上側で切断撤去され、当該階の床スラブＳには、既設排水立て管ＯＰの一部となる残置排水管ＯＰａを残すようにしている。この場合、既設排水立て管ＯＰは、床Ｆ（床面）から約１００ｍｍの位置で切断されるため、残置排水管ＯＰａには、既設の分岐継手ＢＪを介して、洗濯機用の排水枝管ＢＰが接続されたままとなっている。
【００４４】
［排水ジョイント構造］
図１ないし図３に示すように、排水ジョイント構造１は、残置排水管ＯＰａに挿入される挿入パイプ部１１と、新設排水立て管ＮＰが接合されるパイプ接合部１２とを有する排水管継手１０を備えると共に、残置排水管ＯＰａと挿入パイプ部１１との間に介設された絶縁性の接着剤１３を備えている。そして、詳細は後述するが、排水管継手１０の挿入パイプ部１１により、新設排水立て管ＮＰに連なる排水流路が構成され、挿入パイプ部１１に形成された開口部５３（後述する）により排水枝管ＢＰに連なる合流流路が構成されている。
【００４５】
排水管継手１０は、残置排水管ＯＰａに上側から挿入され、排水流路を構成する挿入パイプ部１１と、挿入パイプ部１１の上側に連なり、新設排水立て管ＮＰが接合されるパイプ接合部１２と、パイプ接合部１２内において、新設排水立て管ＮＰとの間に介設されるシール部材１５と、を備えている。挿入パイプ部１１とパイプ接合部１２とは、いずれもステンレススチールで形成されている。パイプ接合部１２は、挿入パイプ部１１よりも太径の円筒状に形成されており、挿入パイプ部１１は、パイプ接合部１２の軸方向の中間より幾分下側の内周面に溶接されている。
【００４６】
パイプ接合部１２において、挿入パイプ部１１の溶接部分から上側には、新設排水立て管ＮＰが接合される接合部本体２１が構成され、下側には、残置排水管ＯＰａの上端部が相対的に挿入される呑込み部２２が構成されている。もっとも、詳細は述するが、パイプ接合部１２の内周面において、挿入パイプ部１１の溶接部分の下側には、補強リング５６が溶接されている（図３参照）。したがって、厳密な意味において呑込み部２２は、この補強リング５６の下側に構成されている。
【００４７】
一方、円筒状のパイプ接合部１２は、軸方向に沿って半割された半割構造を有している。具体的には、パイプ接合部１２は、挿入パイプ部１１と一体化された固定接合半部２５と、ヒンジ部２７を介して固定接合半部２５に回動自在に支持された可動接合半部２６と、可動接合半部２６を固定接合半部２５に締結する締結部材２８と、を有している（図２参照）。
【００４８】
この場合、固定接合半部２５は、接合部本体２１および呑込み部２２の一方の半部を構成しているが、可動接合半部２６は、接合部本体２１の他方の半部を構成すると共に、呑込み部２２の他方の半部を覆う形態となっている。すなわち、呑込み部２２は、固定接合半部２５の下部と、この下部を周方向に延長するように設けた半部覆装部２９とで構成されている。したがって、固定接合半部２５に対し可動接合半部２６を開くと、上記の接合部本体２１が開放されるようになっている（図２参照）。
【００４９】
固定接合半部２５は、半円筒状の固定半部外郭３１と、固定半部外郭３１の一方の端部に連なると共に小さく円筒状に折り曲げられたピン保持部３２と、固定半部外郭３１の上下両端部に内向きに突設した一対の半環状片３３と、を有している。そして、ピン保持部３２は、固定半部外郭３１の一方の端部の上部および下部を延長する形で形成されている。
【００５０】
同様に、可動接合半部２６は、半円筒状の可動半部外郭３５と、可動半部外郭３５の一方の端部に連なると共に小さく円筒状に折り曲げられたピン係合部３６と、可動半部外郭３５の上下両端部に内向きに突設した一対の半環状片３７と、を有している。そして、ピン係合部３６は、可動半部外郭３５の一方の端部の中間部を延長する形で形成されている。
【００５１】
この場合、固定接合半部２５のピン保持部３２には、上部および下部の２箇所においてヒンジピン３９が固定され、可動接合半部２６のピン係合部３６は、中間部においてヒンジピン３９の中間部に回転自在に係合している。これにより、可動接合半部２６が固定接合半部２５に回動自在に支持されている。なお、ピン保持部３２、ピン係合部３６およびヒンジピン３９により、上記のヒンジ部２７が構成されている。
【００５２】
固定接合半部２５の上下一対の半環状片３３と、可動接合半部２６の上下一対の半環状片３７とは、固定半部外郭３１および可動半部外郭３５と共に、シール部材１５を収容するハウジングを構成している。固定接合半部２５の半環状片３３と可動接合半部２６の半環状片３７とを突き合わせて構成される内側の輪郭円は、新設排水立て管ＮＰの外径よりも大径に形成されており、固定接合半部２５に可動接合半部２６を締結したときに、シール部材１５が新設排水立て管ＮＰに優先的に接触するようになっている。
【００５３】
締結部材２８は、上下に２つのネジ穴４２を形成したナット側ロッド４１と、ナット側ロッド４１を保持した状態で固定接合半部２５（固定半部外郭３１）に溶接されたナット側ホルダ４３と、ナット側ロッド４１の各ネジ穴４２に螺合する上下２本のボルト４４と、２本のボルト４４のそれぞれ回転自在に保持するボルト側ロッド４５と、ボルト側ロッド４５を保持した状態で可動接合半部２６（可動半部外郭３５）に溶接されたボルト側ホルダ４６と、を有している（図２および図３（ａ）参照）。可動接合半部２６を回動させ固定接合半部２５に押し当てておいて、ボルト側ロッド４５に保持された２本のボルト４４を、それぞれナット側ロッド４１の２つのネジ穴４２に螺合することにより、可動接合半部２６が固定接合半部２５に締結される。
【００５４】
なお、本実施形態のパイプ接合部１２は、可動接合半部２６が固定接合半部２５に対し、ヒンジ部２７を介して回動自在に支持されているが、固定接合半部２５および可動接合半部２６を断面「Ω」字状に形成しておいて、これを突合せ、両側の固定片の部分でネジ止め（締結）する構造であってもよい。
【００５５】
挿入パイプ部１１は、炭素鋼鋼管で構成された既設排水立て管ＯＰの内径に対し、２〜４ｍｍ程度小さい外径の薄肉ステンレス管を原材料とし、その一部を加工している。実施形態のものは、既設排水立て管ＯＰは、呼び径６５Ａの炭素鋼鋼管（白ガス管）で構成され、挿入パイプ部１１は、外径が約６５ｍｍの特殊寸法の薄肉ステンレス管で構成されている。そして、挿入パイプ部１１は、円筒状のパイプ部本体５１と、パイプ部本体５１の上端部をロート状に加工したロート状部５２と、で一体に形成されている（図３参照）。
【００５６】
また、パイプ部本体５１には、排水枝管ＢＰに連なる残置排水管ＯＰａの合流開口ＯＰａａに対応する正面視円形の開口部５３が形成されている。さらに、パイプ部本体５１の内部には、開口部５３に面する接着剤を取り除くための接着剤除去部材５４が設けられている（いずれも図３（ｂ）参照）。一方、挿入パイプ部１１の長さは、排水管継手１０を残置排水管ＯＰａに挿入セットした状態で、挿入パイプ部１１（パイプ部本体５１）の下端が、残置排水管ＯＰａにおける床スラブＳの厚みに対応する範囲内（実施形態のものは、上部）に位置している（図１参照）。これにより、各階の住戸単位の施工となるよう区分が考慮されている。
【００５７】
挿入パイプ部１１は、ロート状部５２の外周端で固定接合半部２５（固定半部外郭３１）の内周面および半部覆装部２９の内周面に溶接されている。また、ロート状部５２の直下には、挿入パイプ部１１の固定接合半部２５への取付けを補強する環状の補強リング５６が配設されている。補強リング５６は、外周端を固定接合半部２５（固定半部外郭３１）の内周面および半部覆装部２９の内周面に溶接され、内周端をロート状部５２直下のパイプ部本体５１の外周面に溶接されている。これにより、パイプ接合部１２と挿入パイプ部１１とが、強固に一体化されている（図３参照）。
【００５８】
挿入パイプ部１１の開口部５３は、上記の呑込み部２２を介して補強リング５６を残置排水管ＯＰａの上端に突き当てた状態（セット状態）で、上記の合流開口ＯＰａａ（および分岐継手ＢＪ）と同軸上に位置するように形成されている。また、開口部５３は、合流開口ＯＰａａの径および分岐継手ＢＪの内径と同径に形成されている（いずれも図３（ｂ）参照）。
【００５９】
詳細は後述するが、挿入パイプ部１１は、パイプ部本体５１の外周面に接着剤１３を塗布した状態で、残置排水管ＯＰａに挿入セットされる。その際、開口部５３はパイプ部本体５１の内側から、接着剤除去部材５４により閉塞されるようになっている。接着剤除去部材５４は、開口部５３を挿入パイプ部１１（パイプ部本体５１）の内側から閉塞する樹脂製のパッチシート６１と、一端をパッチシート６１に結んだ引上げ紐６２と、パッチシート６１を挿入パイプ部１１の内側から押さえておくウエス６３と、を有している（図３（ｂ）参照）。
【００６０】
パッチシート６１は、開口部５３よりも一回り大きく形成され、接着剤１３が付着し易い樹脂材料で構成されている。引上げ紐６２の他端は、排水管継手１０の外部に持ち出されており（ガムテープ等で固定）、これを上方に引くことにより、パッチシート６１が引き上げられるようになっている。ウエス６３は、詰め物的に用いられ、挿入パイプ部１１への接着剤１３塗布や、挿入パイプ部１１の残置排水管ＯＰａへの挿入に際し、パッチシート６１が位置ズレしないようにこれを押さえている。
【００６１】
そして、挿入パイプ部１１を残置排水管ＯＰａに挿入セットした後、接着剤１３が硬化する前に、接着剤１３が付着したパッチシート６１を取り去ることで、開口部５３と、残置排水管ＯＰａの合流開口ＯＰａａとを連通させ、また同時に分岐継手ＢＪを介して排水枝管ＢＰとを連通させる。
【００６２】
シール部材１５は、下端を挿入パイプ部１１のロート状部５２に突き当てられ、接合部本体２１の内周面と新設排水立て管ＮＰの外周面との間に介設された筒状シール６６、を有している。筒状シール６６は、高い弾力性を有する（高弾性）厚手のゴムシートを円筒状に曲げたものであり、その周方向の一方の半部が固定接合半部２５の内周面に添わせて装着され、他方の半部が可動接合半部２６の内周面に添わせて装着されている。
【００６３】
すなわち、筒状シール６６は、固定接合半部２５の接合部本体２１に相当する部分に装着される一方の半部と、可動接合半部２６の接合部本体２１に相当する部分に装着される他方の半部とが一体に形成されている。また、筒状シール６６の両外端部は、段部を存して薄肉（他の部分の半分の厚み）に形成され、相互に重ね合わせ得るように構成されている。固定接合半部２５に可動接合半部２６を締結すると、筒状シール６６の両端部が重ね合わされ、同時に筒状シール６６の内周面が新設排水立て管ＮＰに、筒状シール６６の下端面がロート状部５２にそれぞれ密接する。これにより、パイプ接合部１２の接合部本体２１と新設排水立て管ＮＰとの間がシールされる。なお、シール部材１５は、ロート状部５２に直接接触する環状シールと、これに突き当てられる筒状シール６６と、の組み合わせであってもよい。
【００６４】
図中の符号６８は、スペーサであり、スペーサ６８は、筒状シール６６と同じ材質で且つ同じ厚みに形成されると共に、筒状シール６６と同様の形態で、パイプ接合部１２の呑込み部２２に装着されている。上述のように、呑込み部２２は、固定接合半部２５の下部と、この下部を周方向に延長するように設けた半部覆装部２９とで構成されており、スペーサ６８は、固定接合半部２５の下部内周面および半部覆装部２９の内周面に添わせるようにして、呑込み部２２に収容されている。このため、スペーサ６８は、呑込み部２２に嵌り込んだ残置排水管ＯＰａの外周面と密接する。これにより、挿入パイプ部１１を残置排水管ＯＰａに挿入したときに、挿入パイプ部１１が残置排水管ＯＰａに不動に係合し且つ同軸上に位置する。
【００６５】
接着剤１３は、２液タイプのエポキシ樹脂接着剤で構成されている。この接着剤１３は、挿入パイプ部１１（排水管継手１０）を残置排水管ＯＰａに固定する機能と、防食のために挿入パイプ部１１と残置排水管ＯＰａとを絶縁する機能とを有している。詳細は後述するが、接着剤１３は、残置排水管ＯＰａの内周面と挿入パイプ部１１の外周面にそれぞれ塗布され、残置排水管ＯＰａに挿入パイプ部１１を挿入するときに、接着剤１３同士を馴染ませるようにしている。これにより、挿入パイプ部１１と残置排水管ＯＰａとの間隙に接着剤１３が充填された状態となる。
【００６６】
言うまでもないが、接着剤１３は、残置排水管ＯＰａの上端面、および上記の補強リング５６の下面を含む呑込み部２２にも十分に塗布される。また、この呑込み部２２において接着剤１３は、上記のスペーサ６８の上端にも塗布され、排水管継手１０と残置排水管ＯＰａとの間には、絶縁性の接着剤１３による絶縁層が形成されることとなる。
【００６７】
［第１実施形態の改修方法］
ここで、図４および図５を参照して、排水立て管の改修方法について説明する。この改修方法では、複数階に亘って延びる既設排水立て管ＯＰを一括して改修するのではなく、該当階の既設排水立て管ＯＰのみを改修することを前提としている。
【００６８】
排水立て管の改修方法は、既設排水立て管ＯＰを床スラブＳの上方所定の位置および上階の床スラブＳの下面Ｓａ近傍で切断して撤去し、残置排水管ＯＰａを床スラブＳに残置する管切断・撤去工程と、残置排水管ＯＰａの内周面に絶縁性の接着剤１３を塗布するプレセット工程と、プレセット工程における接着剤１３が硬化する前に、排水管継手１０の挿入パイプ１１を、その外周面に絶縁性の接着剤１３を塗布しながら残置排水管ＯＰａに挿入して、排水管継手１０を残置排水管ＯＰａにセットするポストセット工程と、プレセット工程およびポストセット工程における接着剤１３が硬化する前に、排水管継手１０の接着剤除去部材５４を取り去る開口部連通工程と、新設排水立て管ＮＰを、排水管継手１０のパイプ接合部１２に接合する立て管接続工程と、を備えている。
【００６９】
管切断・撤去工程では、例えばセイバーソーＳＳを用い、既設排水立て管ＯＰを床Ｆ上から約１００ｍｍの位置で切断すると共に、上階のスラブ下（天井面）から約３０ｍｍの位置で切断し、撤去する。これにより、残置排水管ＯＰａが床スラブＳを貫通した状態で残置される。なお、その後、残置排水管ＯＰａの切断端（上端）のバリ取りや、残置排水管ＯＰａのさびこぶの除去を含む清掃を行うようにする。
【００７０】
プレセット工程では、長尺の塗り棒ＰＰを用い、残置排水管ＯＰａの内周面に接着剤１３を塗布する。この場合、接着剤１３は、残置排水管ＯＰａの内周面に塗りムラが生じないように塗布する。また、分岐継手ＢＪに連なる残置排水管ＯＰａの合流開口ＯＰａａ内に、接着剤１３が入り込まないように注意する。この塗布作業では、残置排水管ＯＰａの上端部にロート状のホッパーを取り付けて行うことが好ましい（図示省略）。これにより、接着剤１３の液だれによる床面の汚染が防止され且つ不要な部分への接着剤１３の付着が防止される。そして、この接着剤１３が硬化する前、すなわち、この工程の直後に速やかに次工程に移行する。
【００７１】
ポストセット工程では、挿入パイプ部１１の先端から所定寸法の接着剤１３の塗布と、所定寸法の残置排水管ＯＰａへの挿入とを繰り返しながら、挿入パイプ部１１を残置排水管ＯＰａに挿入してゆく。この場合の所定寸法は、５０ｍｍ程度とすることが好ましく、塗りムラが生じないように配慮する。そして、工程の最終段階では、残置排水管ＯＰａの上端およびパイプ接合部１２の呑込み部２２にも接着剤１３を塗布し、排水管継手１０を残置排水管ＯＰａにセットする。そして、この場合も、接着剤１３が硬化する前、すなわち、この工程の直後に速やかに次工程に移行する。
【００７２】
開口部連通工程では、先ず接着剤除去部材５４のウエス６３を取り除く。次に、引上げ紐６２を引いてパッチシート６１が引き上げる。ここで、開口部５３の状況を、鏡や内視鏡を用いて確認する。開口部５３に接着剤１３の残滓が付着している場合には、上記の塗り棒ＰＰ等によりこれを除去する。そして、接着剤１３の硬化を待って、次工程に移行する。
【００７３】
管接続工程では、現場合わせで切断した新設排水立て管ＮＰを用意し、先ず上側の継手ＪＪに新設排水立て管ＮＰの上端部を差し込んで仮締めとする（図１参照）。続いて、可動接合半部２６を開いておいて、新設排水立て管ＮＰの下端部を側方からスライドさせるようにして固定接合半部２５に突き当てる。ここで、可動接合半部２６を閉じ、２本のボルト４４を仮締めとする。最後に、上側の継手ＪＪおよび排水管継手１０を本締めとする。
【００７４】
以上のように、第１実施形態によれば、排水管継手１０を残置排水管ＯＰａにセットすると、残置排水管ＯＰａに挿入された挿入パイプ部１１により、残置排水管ＯＰａ内に新たな排水流路を構成することができる。また、新設排水立て管ＮＰを側方からスライドさせることにより、新設排水立て管ＮＰをパイプ接合部１２にセットすることができ、この状態で、可動接合半部２６を固定接合半部２５に締結することで、シール部材１５を介して、パイプ接合部１２に新設排水立て管ＮＰを適切に接合することができる。すなわち、残置排水管ＯＰａに、新たな排水流路を容易に構成することができると共に、新設排水立て管ＮＰを簡単に接続することができる。
【００７５】
一方、挿入パイプ部１１と残置排水管ＯＰａとの間に介在させた絶縁性の接着剤１３により、排水管継手１０を残置排水管ＯＰａに強固に固定することができる。また、絶縁性の接着剤１３により、異種金属である挿入パイプ部１１と残置排水管ＯＰａとの間に生ずる接触腐蝕を、有効に防止することができる。さらに、接着剤除去部材５４により、開口部５３に面する接着剤１３を取り除くことにより、排水枝管ＢＰを残置排水管ＯＰａに接続するための分岐継手ＢＪを交換することなく、挿入パイプ部１１と排水枝管ＢＰとの合流流路を容易に形成することができる。
【００７６】
なお、本実施形態では、残置排水管ＯＰａに排水枝管ＢＰが接続されていることを前提としているが、かかる係る排水枝管ＢＰが無い場合には、排水管継手１０の挿入パイプ部１１における開口部５３や接着剤除去部材５４は、不要となる。また、改修方法においても、開口部連通工程は不要となる。
【００７７】
［第２実施形態］
上述のように、第１実施形態の排水立て管の改修は、原則として各階の住戸単位で行われる。一方で、上記の排水管継手１０を用いた当該階の改修が終了した後、階下の改修を行う場合があり、かかる場合に、床スラブＳに下側に排水管継手１０に対応させて管受けジョイント７０（後述する）を設置するようにしている。排水管継手１０を用いた当該階の改修と管受けジョイント７０を用いた階下の改修とは、連続して行われる場合と時間経て行われる場合とがある。いずれにあっても、床スラブＳに残した残置排水管ＯＰａに対し、排水管継手１０および管受けジョイント７０は、構造上、密接な関係を有している。
【００７８】
そこで、残置排水管ＯＰａ、排水管継手１０および管受けジョイント７０の相互の構造的関係を、第２実施形態の排水ジョイント構造１Ａとして説明し、且つこの関係を含んだ改修を、第２実施形態の排水立て管の改修方法として説明する。但し、残置排水管ＯＰａと排水管継手１０との関係は第１実施形態で説明しているので、以下は、主に残置排水管ＯＰａと管受けジョイント７０の関係について詳述する。
【００７９】
［管受けジョイント］
図６および図７に示すように、第２実施形態の排水ジョイント構造１Ａは、床スラブＳの下側において管受けジョイント７０を備えている。
【００８０】
管受けジョイント７０は、下側から残置排水管ＯＰａに挿入されるジョイント管７１と、ジョイント管７１が貫通した状態で支持されると共に、残置排水管ＯＰａの下端部に対峙する底板リング７２と、底板リング７２を支持すると共に、残置排水管ＯＰａのスラブ下露出部分を覆う筒状カバー７３と、筒状カバー７３を支持すると共に、残置排水管ＯＰａが貫通した状態で床スラブＳの下面Ｓａに固定される固定プレート７４と、を備えている。
【００８１】
ジョイント管７１、底板リング７２、筒状カバー７３および固定プレート７４は、いずれもステンレススチールで構成され、相互に溶接されて一体化されている。なお、管受けジョイント７０は、これら構成部品をビス止め或いはリベット止め等により、一体化されたものであってもよい。
【００８２】
ジョイント管７１は、上記の挿入パイプ部１１と同様に、既設排水立て管ＯＰに対し１サイズダウンのステンレス管で構成されている。詳細は後述するが、ジョイント管７１の外周面と残置排水管ＯＰａの内周面との間には、絶縁性の接着剤１３が介在されている。ジョイント管７１の上部は、管受けジョイント７０を床スラブＳに固定した状態で、その上端が挿入パイプ部１１の下端に対峙する長さとなっている（図６参照）。
【００８３】
上述のように、排水管継手１０の挿入パイプ部１１は、その下端が残置排水管ＯＰａにおける床スラブＳの上部に対応する位置まで達している。これに対し、ジョイント管７１の上端は、残置排水管ＯＰａ内において、挿入パイプ部１１の下端近傍の位置まで達している。一方、ジョイント管７１の下部は、新設排水立て管ＮＰとの間に介設される継手ＪＪが接続可能な長さとなっている。
【００８４】
底板リング７２は、リング状の板材であり、内周端面がジョイント管７１の中間部外周面に溶接され、外周端面が筒状カバー７３の下端に溶接されている。管受けジョイント７０を床スラブＳに固定した状態で、底板リング７２は残置排水管ＯＰａの下端面に対峙する。詳細は後述するが、底板リング７２の上面と残置排水管ＯＰａの下端面との間には、絶縁性の接着剤１３が介在されている。残置排水管ＯＰａは、腐食等により床スラブＳにしっかりと固定されていないことがあり、底板リング７２は、残置排水管ＯＰａのがたつきや床スラブＳに対する位置ズレを防止する。
【００８５】
筒状カバー７３は、残置排水管ＯＰａのスラブ下露出部分を覆うように円筒状に形成され、その下端が底板リング７２に溶接され、上端が固定プレート７４の開口縁部に溶接されている。管受けジョイント７０を床スラブＳに固定した状態で、筒状カバー７３は、底板リング７２を介してジョイント管７１を支持している。詳細は後述するが、筒状カバー７３の内周面と残置排水管ＯＰａの外周面との間隙には、絶縁性の接着剤１３が介在されている。
【００８６】
固定プレート７４は、方形の平面形状に形成され、中心部に残置排水管ＯＰａが遊挿される丸孔部７６が形成されている（図７（ｂ）参照）。丸孔部７６が形成された固定プレート７４の下面における開口縁部には、筒状カバー７３の上端が溶接されている。また、固定プレート７４の四隅には、ビス止め用の小穴７７（バカ穴）が形成されている。詳細は後述するが、固定プレート７４は、この４つの小穴７７を介してベースプレート８１にビス止めされ、このベースプレート８１が床スラブＳに固定されている（図６参照）。
【００８７】
図６に示すように、排水ジョイント構造１Ａは、上記の管受けジョイント７０の他、床スラブＳの下面に固定されたベースプレート８１と、ベースプレート８１と上記の固定プレート７４との間に介設した弾性シート８２と、を備えている。また、排水ジョイント構造１Ａは、残置排水管ＯＰａとジョイント管７１との間、残置排水管ＯＰａと底板リング７２との間、残置排水管ＯＰａと筒状カバー７３との間および固定プレート７４と弾性シート８２を含んでベースプレート８１との間、にそれぞれ介設した絶縁性の接着剤１３を、更に備えている。
【００８８】
この場合の接着剤１３も、第１実施形態のものと同様に、２液タイプのエポキシ樹脂接着剤で構成されている。そして、接着剤１３は、残置排水管ＯＰａと管受けジョイント７０とを一体化する機能と、残置排水管ＯＰａと管受けジョイント７０との間をシールしつつ、異種金属である残置排水管ＯＰａと管受けジョイント７０との間の接触腐蝕を防錆する機能をも有している。
【００８９】
ベースプレート８１は、平面形状が方形に形成されると共に、中心部に残置排水管ＯＰａが遊挿される挿通開口８４が形成されている（図８（ｂ）参照）。ベースプレート８１は、ステンレススチールで構成され、固定プレート７４よりも一回り大きい形状に形成されている。ベースプレート８１の四隅には、アンカー用の４つの固定穴８６（バカ穴）と、ビス止め用の４つのネジ穴８７とが形成されている。ベースプレート８１は、あと施工アンカー８８により、４つの固定穴８６を介して床スラブＳの下面Ｓａに固定され、固定プレート７４は、４つのネジ穴８７を介してベースプレート８１にビス止めされている。
【００９０】
詳細は後述するが、床スラブＳの下面Ｓａは、ケレンショットで仕上げた後、プライマーで下地処理される。ベースプレート８１は、十分な大きさを有しているため、この下地処理と併せて、床スラブＳの下面Ｓａに生じている不陸を吸収する。なお、極端な不陸によりベースプレート８１の取付けが不安定になる場合には、ベースプレート８１と床スラブＳの下面Ｓａとの間にゴムシートを介在させることが好ましい。
【００９１】
弾性シート８２は、表裏一方の面に粘着剤層を有する（粘着剤付き）高弾性の樹脂で構成されている。弾性シート８２の外形は、固定プレート７４とほほ同一であるが、角部が大きくカットされ、且つ中心部には円形開口８９が形成されている（図８（ｃ）参照）。そして、弾性シート８２は、管受けジョイント７０を床スラブＳに取り付ける前に、ベースプレート８１に貼着されるようになっている。
【００９２】
詳細は後述するが、この場合の弾性シート８２は、主として管受けジョイント７０の姿勢を矯正する機能と、管受けジョイント７０に防振性を持たせる機能とを有している。前者の機能は、ベースプレート８１に固定プレート７４をビス止めするときに、弾性シート８２の弾力性を利用して、ジョイント管７１を水平姿勢となるように、ビスにより締付け調整可能とするものである。
【００９３】
なお、固定プレート７４、弾性シート８２およびベースプレート８１の平面形状が、円形等であってもよく、取付け面の性状や障害物等を考慮し適宜決定することが好ましい。
【００９４】
［第２実施形態の改修工法］
次に、図８および図９を参照して、管受けジョイント７０を主体とする排水立て管の改修方法について説明する。上述のように、この改修方法には、上階における排水管継手１０を主体とする改修方法を含むが、ここでは排水管継手１０を主体とする改修方法は終了しているものとして、説明を進める。
【００９５】
この排水立て管の改修方法は、残置排水管ＯＰａを、床スラブＳの下面Ｓａ近傍で切断する管切断工程（図８（ａ）参照）と、床スラブＳの下面Ｓａに、固定プレート７４よりも大型のベースプレート８１を残置排水管ＯＰａが貫通した状態で固定するベース固定工程（図８（ｂ）参照）と、挿入されるジョイント管７１に対応させて、残置排水管ＯＰａの内周面に絶縁性の接着剤１３を塗布する第１塗布工程（図８（ｃ）参照）と、底板リング７２から上のジョイント管７１の外周面、底板リング７２の上面、筒状カバー７３の内周面および固定プレート７４の上面、にそれぞれ絶縁性の接着剤１３を塗布する第２塗布工程（図９（ｄ）および（ｅ）参照）と、第１塗布工程および第２塗布工程における接着剤１３が硬化する前に、ジョイント管７１を残置排水管ＯＰａに挿入すると同時に、弾性シート８２を介在した状態で固定プレート７４をベースプレート８１にネジ止めする管受け取付け工程（図９（ｆ）参照）と、を備えている。
【００９６】
管切断工程では、セイバーソーＳＳを用い、既設排水立て管ＯＰをスラブ下約３０ｍｍの位置で切断する（図８（ａ）参照）。この場合も、残置排水管ＯＰａの下端（切断端）のバリ取りや、残置排水管ＯＰａのさびこぶの除去を含む清掃を行うようにする。もっとも、上記の管切断・撤去工程において、清掃が完了している場合には、これを省略することができる。
【００９７】
ベース固定工程では、先ず床スラブＳの下面Ｓａの該当箇所をケレンショットで仕上げ、この仕上げ面にプライマーを刷毛塗りして、この部分の下地処理を行う。プライマーの乾燥を待って、次に残置排水管ＯＰａを基準とする型紙を用いて、該当箇所の４箇所にアンカー用のマーキングを行い、振動ドリル等でアンカー用の下穴を穿孔する。続いて、下穴にあと施工アンカー８８を打ち込み、ベースプレート８１を固定する（図８（ｂ）参照）。
【００９８】
なお、この時点で、弾性シート８２をベースプレート８１に貼着しておくことが好ましい。もっとも、第２塗布工程の前に、弾性シート８２を固定プレート７４に貼着しておいてもよい。かかる場合には、第２塗布工程において、弾性シート８２を含んで固定プレート７４に接着剤１３を塗布することとなる。
【００９９】
第１塗布工程では、上記の塗り棒ＰＰを用い、下側から残置排水管ＯＰａの内周面に接着剤１３を塗布する（図８（ｃ）参照）。この場合、接着剤１３は、管奥から手前に向かって残置排水管ＯＰａの内周面に塗りムラが生じないように塗布を行う。特に、挿入パイプ１１の下端近傍に接着剤１３を塗布するとときには、挿入パイプ１１の内周面に接着剤１３が付着しないように注意する。そして、この接着剤１３が硬化する前、すなわち、この工程の直後に速やかに次工程に移行する。
【０１００】
第２塗布工程では、底板リング７２から上のジョイント管７１の外周面、底板リング７２の上面、筒状カバー７３の内面および固定プレート７４の上面、すなわち管受けジョイント７０における残置排水管ＯＰａに対峙する部分の全域と、固定プレート７４の上面全域とに、接着剤１３を塗布する（図９（ｄ）参照）。なお、第２塗布工程に先立ち、必要に応じてジョイント管７１の切詰め等を行う。
【０１０１】
管受け取付け工程では、先ず接着剤１３を塗布した管受けジョイント７０を天井部分に持ち込む。ここで、管受けジョイント７０のジョイント管７１を、残置排水管ＯＰａに位置合せし挿入してゆく。この場合も、ジョイント管７１の先端から所定寸法の接着剤１３の塗布と、所定寸法の残置排水管ＯＰａへの挿入とを繰り返しながら、ジョイント管７１を残置排水管ＯＰａに挿入してゆく（図９（ｅ）参照）。
【０１０２】
また、この挿入の最終段階で、ベースプレート８１に固定プレート７４を位置合せする。そして、固定プレート７４をベースプレート８１に押し付けながら、固定プレート７４をベースプレート８１にビス止め（ネジ止め）する（図９（ｆ）参照）。このビス止めの作業では、４箇所のビスを仮止め状態としておいて、ジョイント管７１が鉛直姿勢となるように各ビスを締付け調整する（本締め）。この締付け調整により、弾性シート８２は適宜圧縮され、固定プレート７４が水平姿勢となると共に、ジョイント管７１が鉛直姿勢となる。
【０１０３】
なお、管受けジョイント７０をベースプレート８１に固定したセット状態で、挿入パイプ部１１の下端にジョイント管７１の上端が近接するが、この部分にも、接着剤１３が十分に回り込むようにする。そして、ジョイント管７１の上端から内側にはみ出した接着剤１３は、塗り棒ＰＰで除去しておくようにする。
【０１０４】
以上のように、第２実施形態によれば、ベースプレート８１を介して、固定プレート７４を床スラブＳの下面Ｓａに固定すると、残置排水管ＯＰａ内において挿入パイプ部１１の下端にジョイント管７１の上端が近接し対峙する。これにより、残置排水管ＯＰａに代えて、挿入パイプ部１１およびジョイント管７１により、新たな排水流路が構成される。また、この状態で、残置排水管ＯＰａの下端面に底板リング７２が対峙するため、残置排水管ＯＰａは、腐食等により残置排水管ＯＰａが床スラブＳに強固に固定されていないことがあっても、残置排水管ＯＰａのがたつきや床スラブＳに対する位置ズレを防止することができる。
【０１０５】
一方、接着剤１３により、残置排水管ＯＰａとジョイント管７１とが一体化され、且つ管受けジョイント７０が床スラブＳに支持されるため、残置排水管ＯＰａおよび管受けジョイント７０を床スラブＳに強固に支持することができる。また、絶縁性の接着剤１３により、異種金属であるジョイント管７１と残置排水管ＯＰａとの間の接触腐蝕を有効に防止することができる。しかも、弾性シート８２により、管受けジョイント７０に防振性を持たせることができると共に、管受けジョイント７０を適切な取付け姿勢とすることができる。
【符号の説明】
【０１０６】
１，１Ａ…排水ジョイント構造、１０…排水管継手、１１…挿入パイプ部、１２…パイプ接合部、１３…接着剤、１５…シール部材、２１…接合部本体、２２…呑込み部、２５…固定接合半部、２６…可動接合半部、２７…ヒンジ部、２８…締結部材、３９…ヒンジピン、４４…ボルト、５１…パイプ部本体、５２…ロート状部、５３…開口部、５４…接着剤除去部材、６６…筒状シール、７０…管受けジョイント、７１…ジョイント管、７２…底板リング、７３…筒状カバー、７４…固定プレート、８１…ベースプレート、８２…弾性シート、ＢＰ…排水枝管、ＢＪ…分岐継手、Ｆ…床、ＮＰ…新設排水立て管、ＯＰ…既設排水立て管、ＯＰａ…残置排水管、ＯＰａａ…合流開口、Ｓ…床スラブ、Ｓａ…下面
【図１】
2020012518.tif 000003
【図２】
2020012518.tif 000004
【図３】
2020012518.tif 000005
【図４】
2020012518.tif 000006
【図５】
2020012518.tif 000007
【図６】
2020012518.tif 000008
【図７】
2020012518.tif 000009
【図８】
2020012518.tif 000010
【図９】
2020012518.tif 000011
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
既設排水立て管を床スラブの上方所定の位置で切断して床スラブに残置した残置排水管に代えて、前記残置排水管内に排水流路を構成すると共に、前記残置排水管の上側に連なる新設排水立て管が接続される排水管継手であって、
前記残置排水管に上側から挿入され、前記排水流路を構成する挿入パイプ部と、
前記挿入パイプ部の上側に連なり、前記新設排水立て管が接合されるパイプ接合部と、
前記パイプ接合部内において、前記新設排水立て管との間に介設されるシール部材と、を備え、
前記パイプ接合部は、
軸方向に沿って半割され、前記挿入パイプ部と一体化された一方の固定接合半部、および前記固定接合半部に装着される他方の可動接合半部と、
前記可動接合半部を前記固定接合半部に締結する締結部材と、を有していることを特徴とする排水管継手。
【請求項２】
前記可動接合半部は、一方の突合せ端部において、ヒンジ部を介して前記固定接合半部に回動自在に支持され、
前記締結部材は、他方の突合せ端部において、前記可動接合半部を前記固定接合半部に締結することを特徴とする請求項１に記載の排水管継手。
【請求項３】
前記挿入パイプ部の上端部は、ロート状に形成され、前記固定接合半部に溶着されていることを特徴とする請求項１または２に記載の排水管継手。
【請求項４】
前記パイプ接合部は、
前記挿入パイプ部が前記固定接合半部に溶着されている溶着部分から上側に配設され、前記新設排水立て管が接合される接合部本体と、
前記接合部本体から下方に延設され、前記残置排水管の上端部が相対的に挿入される前記溶着部分から下側の呑込み部と、を有していることを特徴とする請求項３に記載の排水管継手。
【請求項５】
前記シール部材は、下端部で前記挿入パイプ部の上端部に密接すると共に、前記接合部本体の内周面と前記新設排水立て管の外周面との間に介設された筒状シールを有していることを特徴とする請求項４に記載の排水管継手。
【請求項６】
前記残置排水管には、前記床スラブの上側近傍において排水枝管が接続されており、
前記挿入パイプ部は、前記呑込み部に前記残置排水管を相対的に挿入した状態で、前記排水枝管の接続位置に対応する位置に開口部を有していることを特徴とする請求項４または５に記載の排水管継手。
【請求項７】
前記挿入パイプ部を前記残置排水管に挿入した請求項１ないし５のいずれかに記載の排水管継手と、
前記残置排水管と前記挿入パイプ部との間に介設された絶縁性の接着剤と、を備えたことを特徴とする排水ジョイント構造。
【請求項８】
前記挿入パイプ部を前記残置排水管に挿入した請求項６に記載の排水管継手と、
前記残置排水管と前記挿入パイプ部との間に介設された絶縁性の接着剤と、
前記開口部を閉塞するように前記挿入パイプ部の内周面に離脱可能にセットされ、前記開口部に面する前記接着剤を取り除くための接着剤除去部材と、を備えた特徴とする排水ジョイント構造。
【請求項９】
請求項１ないし５のいずれかに記載の排水管継手を用いて、前記既設排水立て管を改修する排水立て管の改修方法であって、
前記既設排水立て管を床スラブの上方所定の位置および上階の床スラブの下面近傍で切断して撤去し、前記残置排水管を前記床スラブに残置する管切断・撤去工程と、
挿入される前記挿入パイプ部に対応させて、前記残置排水管の内周面に絶縁性の接着剤を塗布するプレセット工程と、
前記プレセット工程における前記接着剤が硬化する前に、前記挿入パイプ部を、その外周面に絶縁性の接着剤を塗布しながら前記残置排水管に挿入して、前記排水管継手を前記残置排水管にセットするポストセット工程と、
前記新設排水立て管を、前記排水管継手のパイプ接合部に接合する立て管接続工程と、を備えたことを特徴とする排水立て管の改修方法。
【請求項１０】
請求項６に記載の排水管継手を用いて、前記既設排水立て管を改修する排水立て管の改修方法であって、
前記既設排水立て管を床スラブの上方所定の位置および上階の床スラブの下面近傍で切断して撤去し、前記残置排水管を前記床スラブに残置する管切断・撤去工程と、
挿入される前記挿入パイプ部に対応させて、前記残置排水管の内周面に絶縁性の接着剤を塗布するプレセット工程と、
前記プレセット工程における前記接着剤が硬化する前に、前記挿入パイプ部を、その外周面に絶縁性の接着剤を塗布しながら前記残置排水管に挿入して、前記排水管継手を前記残置排水管にセットするポストセット工程と、
前記プレセット工程および前記ポストセット工程における前記接着剤が硬化する前に、前記排水管継手の前記開口部を内側から閉塞するようにセットされた接着剤除去部材を取り去る開口部連通工程と、
前記新設排水立て管を、前記排水管継手のパイプ接合部に接合する立て管接続工程と、を備えたことを特徴とする排水立て管の改修方法。
【手続補正２】
【補正対象書類名】明細書
【補正対象項目名】００１２
【補正方法】変更
【補正の内容】
【００１２】
この場合、パイプ接合部は、挿入パイプ部が固定接合半部に溶着されている溶着部分から上側に配設され、新設排水立て管が接合される接合部本体と、接合部本体から下方に延設され、残置排水管の上端部が相対的に挿入される溶着部分から下側の呑込み部と、を有していることが好ましい。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】